(57)【要約】【課題】扉等の内側から施・解錠するサムターン装置の改良。【解決手段】サムターン軸４の回動により、デッドボルトが扉体１の端面から突出または後退して、施錠または解錠されるサムターン装置において、上記サムターン軸４と同軸に回転自在に支持されるつまみ部材７と該サムターン軸４とが、軸方向の相対移動によって互いに係合または係合解除されることを特徴とする。【選択図】　　　　　図１
2004137697.tif 000002
【特許請求の範囲】
【請求項１】
サムターン軸の回動により、デッドボルトが扉体の端面から突出または後退して、施錠または解錠されるサムターン装置において、上記サムターン軸と同軸に回転自在に支持されるつまみ部材と該サムターン軸とが、軸方向の相対移動によって互いに係合または係合解除されることを特徴とするサムターン装置。
【請求項２】
上記つまみ部材が扉体に接近する方向に移動することにより、該つまみ部材が上記サムターン軸に係合することを特徴とする請求項１記載のサムターン装置。
【請求項３】
上記つまみ部材が扉体から離反する方向に移動することにより、該つまみ部材が上記サムターン軸に係合することを特徴とする請求項１記載のサムターン装置。
【請求項４】
上記係合部の一方は切欠ぎまたは孔を備えるとともに他方は該切欠ぎまたは孔に係合できる突起を備えたことを特徴とする請求項１ないし請求項３いずれか記載のサムターン装置。
【請求項５】
上記係合部の一方に断面内壁形状が多角形の空洞を備えるとともに、他方には上記空洞に係合できる断面外側形状が多角形の柱体を備えたことを特徴とする請求項１ないし請求項３いずれか記載のサムターン装置。
【発明の詳細な説明】
【０００１】
【発明の属する技術分野】
本発明は、扉等に取付けられた錠を内側から施・解錠するサムターン装置に関する。
【０００２】
【従来の技術】
扉に取付けられた錠を、屋内（または室内、以下同様）側でキーを用いずに施錠または解錠するサムターン装置は、広く実施されている。これは、扉等の内側に配置されたつまみ部材を回してサムターン軸を回動させ、それにより扉の端面からデッドボルトを突出または後退させて、施錠または解錠するものである。
【０００３】
【解決しようとする課題】
前記従来のサムターン装置においては、屋内側からはつまみ部材を容易に回すことができるので、屋外の人間が扉の隙間から特殊な工具を挿入してつまみ部材を回転させ、サムターン装置により解錠して、屋内に侵入する恐れがあった。
【０００４】
【課題を解決するための手段および効果】
前記従来の課題を解決するために、請求項１記載の発明は、サムターン軸の回動により、デッドボルトが扉体の端面から突出または後退して、施錠または解錠されるサムターン装置において、上記サムターン軸と同軸に回転自在に支持されるつまみ部材と該サムターン軸とが、軸方向の相対移動によって互いに係合または係合解除されることを特徴とするものである。
【０００５】
請求項１記載の発明は上記のとおり構成されているので、つまみ部材を回動させても、軸方向に移動させなければ、つまみ部材とサムターン軸とが係合せず、屋外の人間が扉の隙間から特殊な工具を挿入しても、解錠することは困難である。
【０００６】
次に請求項２記載の発明は、前記請求項１記載の発明において、上記つまみ部材が扉体に接近する方向に移動することにより、該つまみ部材が上記サムターン軸に係合することを特徴とするものである。したがって請求項２記載の発明によれば、屋内側からは極めて容易につまみ部材を回動させて施・解錠することができる。
【０００７】
また請求項３記載の発明は、前記請求項１記載の発明において、上記つまみ部材が扉体から離反する方向に移動することにより、該つまみ部材が上記サムターン軸に係合することを特徴とするものである。したがって請求項３記載の発明によれば、扉の隙間から特殊な工具を挿入しても、解錠は極めて困難である。
【０００８】
次に請求項４記載の発明は、前記請求項１ないし請求項３いずれか記載の発明において、上記係合部の一方は切欠ぎまたは孔を備えるとともに他方は該切欠ぎまたは孔に係合できる突起を備えたことを特徴とするものである。したがって請求項４記載の発明は、設計・製作が容易である。
【０００９】
また請求項５記載の発明は、前記請求項１ないし請求項３いずれか記載の発明において、上記係合部の一方に断面内壁形状が多角形の空洞を備えるとともに、他方には上記空洞に係合できる断面外側形状が多角形の柱体を備えたことを特徴とするものである。したがって請求項５記載の発明は、強度に優れ、耐久性に富む。
【００１０】
【発明の実施の形態】
図１は本発明の一実施例を示す縦断側面図、図２は図１のＩＩ−ＩＩ矢視水平断面図、図３は図１、図２のＩＩＩ−ＩＩＩ矢視横断面図、図４は図１、図２のＩＶ−ＩＶ矢視横断面図、図５は図１、図２のＶ−Ｖ矢視横断面図、図６は図１、図２の右方から見た正面図である。
【００１１】
これらの図において、２は取付けベースであって、取付けねじ３により扉体１の屋内側表面に取付けられる。この取付けベース２の中央に設けられた孔に嵌装されたサムターン軸４が、更に扉体１に穿設された孔１ａ内まで延びている。このサムターン軸４の孔１ａ内延長部の断面は十字形である（図３参照。）が、この断面形状は例えば正方形でもよい。サムターン軸４にはまた、サムターン軸かしめピン５によって円柱状の凹クラッチ部材６が同軸一体に取付けられている。凹クラッチ部材６には、取付けベース２に接してディスク部６ａが一体に形成されており、そのディスク部６ａには、図４に示されるように、周辺に沿って複数（図示例では８）の凹部６ｂ（切込み）が設けられている。
【００１２】
７は凹クラッチ部材６の端部に回転可能・軸方向摺動可能に取付けられた凸クラッチつまみであって、ほぼ筒状を呈しており、取付けベース２側の端部に大径部７ａが形成されている。そしてこの大径部７ａから軸方向に、前記凹クラッチ部材６のディスク部６ａ周辺部に向かって、複数（図示例では４）の突起７ｂが設けられている（図１、図２、図５参照。）。８は短い筒状のカバー８であって、カバー固定ピン９およびカバー固定ピンばね１０により取付けベース２に取付けられている。そして端部は凸クラッチつまみ７の大径部７ａを包むように内方へ折れ曲っている。凹クラッチ部材６と凸クラッチつまみ７との間にはクラッチばね１１が介装されて、両部材６，７を互いに引離すように付勢している。また、凹クラッチ部材６の端面には、図６に示されるように、施・解錠の表示となる溝６ｃが設けられている。
【００１３】
このような装置において、図１に示された状態では、クラッチばね１１の付勢力により凹クラッチ部材６と凸クラッチつまみ７とが離れているから、凸クラッチつまみ７を回わしても、凹クラッチ部材６は回動せず、凸クラッチつまみ７が空回わりするだけである。ここで凸クラッチつまみ７を、扉体１に接近する方向に、クラッチばね１１の力に抗して押圧しながら回わすと、凸クラッチつまみ７の突起７ｂが凹クラッチ部材６の凹部６ｂと係合し、凹クラッチ部材６が回動する。そうするとサムターン軸４も一体に回動し、図示しない公知公用のデッドロッキングレバー等を介してデッドボルト（図示せず）が扉体１の端面から突出または後退して、施錠または解錠される。この場合、施錠されているか、それとも解錠されているかは、屋内側から見て正面中央に当る凹クラッチ部材６の端面に設けられた溝６ｃの向きによって、直ちに知ることができる。
【００１４】
上記のとおり本実施例では、凸クラッチつまみ７を回転させるだけでは、凹クラッチ部材６もサムターン軸４も回動しないから、施・解錠することはできず、施・解錠するためには、凸クラッチつまみ７を扉体１に接近する方向に押圧しながら回転させなければならない。したがって、屋外の人間が扉の隙間から特殊な工具を挿入しても、解錠することは困難である。
【００１５】
また、凸クラッチつまみ７を押圧しながら回わせばよいので、屋内側からは極めて容易に施・解錠することができる。
【００１６】
次に図７は本発明の第２の実施例を示す縦断側面図、図８は図７のＶＩＩＩ−ＶＩＩＩ矢視横断面図、図９は図７のＩＸ−ＩＸ矢視横断面図である。
【００１７】
前記第１の実施例は、凹クラッチ部材６のディスク部６ａに形成された凹部６ｂと凸クラッチつまみ７の大径部７ａに設けられた突起７ｂとを係合または係合解除させるものであったが、本実施例では、凹クラッチ部材２６のディスク部２６ａに、円周方向に沿って複数（図示例では８）のクラッチ孔２６ｂを設けるとともに、凸クラッチつまみ２７の端面には、上記クラッチ孔２６ｂに対応して、複数（図示例では４）のクラッチピン２７ｂを突起物として植込んである。また、取付けベース２２に対するカバー２８の取付けには、前記第１の実施例のようなカバー固定ピン９、カバー固定ピンばね１０を用いず、カバー固定ねじ２９を用いている。その他の構造は前記第１の実施例と同様なので、同様の部分には同一の符号を付け、詳しい説明を省略する。
【００１８】
本実施例においても、凸クラッチつまみ２７を扉体に接近する方向に押圧しつつ回せば、凸クラッチつまみ２７のクラッチピン２７ｂが凹クラッチ部材２６のクラッチ孔２６ｂと係合し、凹クラッチ部材２６が回動する。そうするとサムターン軸４も一体に回動し、図示しないデッドボルトが扉体の端面から突出または後退して、施錠または解錠される。
【００１９】
こうして本実施例でも、屋外から扉の隙間を通して特殊な工具で解錠することは困難である一方、屋内側からは極めて容易に施・解錠できる。
【００２０】
次に図１０は本発明の第３の実施例を示す縦断側面図、図１１は図１０のＸＩ−ＸＩ矢視横断面図、図１２は図１０のＸＩＩ−ＸＩＩ矢視横断面図である。
【００２１】
本実施例は、クラッチ係合部の凹凸を、前記２実施例と逆にしたものである。すなわち、円柱状の凸クラッチ部材３６がサムターン軸かしめピン５によってサムターン軸４に同軸一体に取付けられる。そしてこの凸クラッチ部材３６に、取付けベース２２に接してディスク部３６ａが一体に形成され、そのディスク部３６ａに円周方向に沿って複数（図示例では４）のクラッチピン３６ｂが植込まれる。一方凸クラッチ部材３６の端部には、凹クラッチつまみ３７が回転可能・軸方向摺動可能に取付けられ、この凹クラッチつまみ３７の端面に、上記クラッチピン３６ｂに対応して、複数（図示例では８）のクラッチ孔３７ｂが穿設されている。
その他の構造については、前記実施例と同様なので、同様の部分には同じ符号を付け、詳しい説明は省略する。
【００２２】
本実施例においても、凹クラッチつまみ３７を扉体に接近する方向に押圧しつつ回せば、凹クラッチつまみ３７のクラッチ孔３７ｂが凸クラッチ部材３６のクラッチピン３６ｂと係合し、凸クラッチ部材３６が回動する。そうするとサムターン軸４も一体に回動し、図示しないデッドボルトが扉体の端面から突出または後退して、施錠または解錠される。
【００２３】
こうして本実施例でも、屋外から扉の隙間を通して特殊な工具で解錠することは困難である一方、屋内側からは極めて容易に施・解錠できる。
【００２４】
次に図１３は本発明の第４の実施例を示す縦断側面図、図１４は図１３のＸＩＶ−ＸＩＶ矢視横断面図、図１５は図１３のＸＶ−ＸＶ矢視横断面図である。
【００２５】
前記諸実施例は、デッドボルトを扉体に接近する方向に押圧してクラッチを係合させるものであったが、本実施例は、逆に扉体から離反する方向にデッドボルトを引張って、クラッチ係合させるものである。以下詳述する。
【００２６】
図１３において、サムターン軸４０にはファスナピン４１によって柱状の連結軸４２の端部が一体に固定される。更にその連結軸４２にはファスナピン４３によってばね受けキャップ４４が一体に固定される。これら連結軸４２とばね受けキャップ４４を囲むように、つまみ部材４７が回転可能・軸方向摺動可能に配されている。ばね受けキャップ４４とつまみ部材４７との間には、２枚のばね受け座金４５を介してクラッチばね４６が配されていて、つまみ部材４７を図示しない扉体に接近する方向（図の左方）へ付勢している。つまみ部材４７の端面にはサムターンふた４８が配され、サムターン座金４９およびＧ型リング５０によって、サムターン軸４０に固定されている。
【００２７】
一方、図示しない扉体の屋内側表面にハウジング５１がねじ止めされており、このハウジング５１にサムターンふた４８がハウジング固定ねじ５２により固定されて、サムターン装置全体が扉体に取付けられる。
【００２８】
上記つまみ部材４７の扉体側（図の左側）端部（ディスク部４７ａ）には、図１４に示されるように、断面内壁形状が正六角形を呈する孔（空洞）４７ｂが設けられている。この位置で連結軸４２の断面は、図示のように上記正六角形に内接する円である。一方、連結軸４２のばね受けキャップ４４側（図の右側）端部４２ａは、図１５に示されるように、上記空洞４７ｂに嵌合できる正六角形の断面外側形状を有する柱状になっている。
【００２９】
このようなサムターン装置において、図１３ないし図１５に示される状態では、クラッチばね４６の付勢力によりつまみ部材４７が扉体に接近する方向（図１３の左方）に押付けられており、連結軸４２の端部４２ａとつまみ部材４７のディスク部４７ａとが離れているから、つまみ部材４７を回わしても連結軸４２は回動せず、つまみ部材４７が空転するだけである。
【００３０】
ここでつまみ部材４７を、扉体から離反する方向（図１３の右方）へ、クラッチばね４６の力に抗して引張りながら回すと、つまみ部材４７のディスク部４７ａの正六角形断面空洞４７ｂが連結軸４２の端部４２ａの正六角形断面柱体と係合し、連結軸４２が回動する。そうするとサムターン軸４０も一体に回動し、図示しないデッドボルトが扉体の端面から突出または後退して、施錠または解錠される。
【００３１】
本実施例では、扉体１から離反する方向につまみ部材４７を引張ってクラッチ結合させるものであるから、屋外に居る人が扉の隙間から特殊な工具を挿入しても、解除は極めて困難である。本実施例ではまた、クラッチ係合部として正六角形断面の空洞と正六角形断面の柱体との組合わせを用いているので、頑丈であり、故障しにくい。
【図面の簡単な説明】
【図１】図１は本発明の一実施例を示す縦断側面図である。
【図２】図２は図１のＩＩ−ＩＩ矢視水平断面図である。
【図３】図３は図１、図２のＩＩＩ−ＩＩＩ矢視横断面図である。
【図４】図４は図１、図２のＩＶ−ＩＶ矢視横断面図である。
【図５】図５は図１、図２のＶ−Ｖ矢視横断面図である。
【図６】図６は図１、図２の右方から見た正面図である。
【図７】図７は本発明の第２の実施例を示す縦断側面図である。
【図８】図８は図７のＶＩＩＩ−ＶＩＩＩ矢視横断面図である。
【図９】図９は図７のＩＸ−ＩＸ矢視横断面図である。
【図１０】図１０は本発明の第３の実施例を示す縦断側面図である。
【図１１】図１１は図１０のＸＩ−ＸＩ矢視横断面図である。
【図１２】図１２は図１０のＸＩＩ−ＸＩＩ矢視横断面図である。
【図１３】図１３は本発明の第４の実施例を示す縦断側面図である。
【図１４】図１４は図１３のＸＩＶ−ＸＩＶ矢視横断面図である。
【図１５】図１５は図１３のＸＶ−ＸＶ矢視横断面図である。
【符号の説明】
１…扉体、１ａ…孔、２…取付けベース、３…取付けねじ、４…サムターン軸、５…サムターン軸かしめピン、６…凹クラッチ部材、６ａ…ディスク部、６ｂ…凹部、６ｃ…溝、７…凸クラッチつまみ、７ａ…大径部、７ｂ…突起、８…カバー、９…カバー固定ピン、１０…カバー固定ピンばね、１１…クラッチばね、２２…取付けベース、２６…凹クラッチ部材、２６ａ…ディスク部、２６ｂ…クラッチ孔、２７…凸クラッチつまみ、２７ｂ…クラッチピン、２８…カバー、２９…カバー固定ねじ、３６…凸クラッチ部材、３６ａ…ディスク部、３６ｂ…クラッチピン、３７…凹クラッチつまみ、３７ｂ…クラッチ孔、４０…サムターン軸、４１…ファスナピン、４２…連結軸、４２ａ…端部、４３…ファスナピン、４４…ばね受けキャップ、４５…ばね受け座金、４６…クラッチばね、４７…つまみ部材、４７ａ…ディスク部、４７ｂ…空洞、４８…サムターンふた、４９…サムターン座金、５０…Ｇ型リング、５１…ハウジング、５２…ハウジング固定ねじ。
【図１】
2004137697.tif 000003
【図２】
2004137697.tif 000004
【図３】
2004137697.tif 000005
【図４】
2004137697.tif 000006
【図５】
2004137697.tif 000007
【図６】
2004137697.tif 000008
【図７】
2004137697.tif 000009
【図８】
2004137697.tif 000010
【図９】
2004137697.tif 000011
【図１０】
2004137697.tif 000012
【図１１】
2004137697.tif 000013
【図１２】
2004137697.tif 000014
【図１３】
2004137697.tif 000015
【図１４】
2004137697.tif 000016
【図１５】
2004137697.tif 000017